(57)【要約】【課題】リモコン受信部５の制御と機器３の制御を１つのマイコン４で行うリモコン制御機器において、待機状態における制御回路２の消費電力を低減する。【解決手段】マイコン４と、上記マイコン４により制御されるリモコン受信部５と、上記マイコン４により制御され動作する機器（メイン回路３）と、上記リモコン受信部５とマイコン４に電力を供給する制御電源１を具備するリモコン制御機器において、上記マイコン４は制御電源１に定常動作信号を出力し、制御電源１は定常動作信号が出力される場合には、一定電圧を上記リモコン受信部５とマイコン４に出力し、定常動作信号が出力されない場合には、間欠的に電圧を上記リモコン受信部５とマイコン４に出力する。【選択図】図１
2010141750.tif 000002
【特許請求の範囲】
【請求項１】
マイコンと、上記マイコンにより制御されるリモコン受信部と、上記マイコンにより制御され動作する機器と、上記リモコン受信部とマイコンに電力を供給する制御電源を具備するリモコン制御機器において、
上記マイコンは制御電源に定常動作信号を出力し、
制御電源は定常動作信号が出力される場合には、一定電圧を上記リモコン受信部とマイコンに出力し、定常動作信号が出力されない場合には、間欠的に電圧を上記リモコン受信部とマイコンに出力することを特徴とするリモコン制御機器。
【請求項２】
上記マイコンは、記憶装置を有し、制御電源からの間欠的な電圧の出力期間にリモコン受信部の信号待機動作を行い、リモコン信号を受信した場合には、制御電源に定常動作信号を出力するとともに記憶装置に記憶された情報を読み出し、記憶装置の情報に従った機器の制御動作を行うことを特徴とする請求項１記載のリモコン制御機器。
【請求項３】
上記マイコンにより制御され動作する機器は、放電灯を高周波点灯させるインバータ式の放電灯点灯装置であることを特徴とする請求項１又は２記載のリモコン制御機器。
【発明の詳細な説明】
【技術分野】
【０００１】
本発明はリモコンにより機器の動作・不動作を制御するリモコン制御機器に関するものである。
【背景技術】
【０００２】
特許文献１（特開２００１−２６５４４９号公報）には、電気機器の待機状態のときに間欠電源によりリモコン受信部への電源供給を行うことにより消費電力を低減する技術が開示されている。
【０００３】
特許文献２（特許３１４０８８５号公報）には、リモコンによりランプの動作状態を制御する照明装置において、ランプ消灯時に点灯制御回路への電力供給を停止することにより消灯時の制御電力を低減する技術が開示されている。
【特許文献１】特開２００１−２６５４４９号公報
【特許文献２】特許３１４０８８５号公報
【発明の開示】
【発明が解決しようとする課題】
【０００４】
特許文献１の技術においては、待機状態で間欠電源となるのはリモコン受信部のみで、その他の回路であるサブマイコン等には制御電源が供給されている。
【０００５】
特許文献２の技術においては、ランプ消灯時にはマイコンが停止してしまうので、リモコン受信部の制御と点灯制御回路の両方の制御を１つのマイコンで行うような場合には、リモコン受信部の信号を受けることができず、リモコン信号により点灯・消灯を切り替えることができない。
【０００６】
本発明は、リモコン受信部の制御と機器の制御を１つのマイコンで行うリモコン制御機器において、待機状態における制御回路の消費電力を低減することを目的とする。
【課題を解決するための手段】
【０００７】
本発明は、上記の課題を解決するために、図１に示すように、マイコン４と、上記マイコン４により制御されるリモコン受信部５と、上記マイコン４により制御され動作する機器（メイン回路３）と、上記リモコン受信部５とマイコン４に電力を供給する制御電源１を具備するリモコン制御機器において、上記マイコン４は制御電源１に定常動作信号を出力し、制御電源１は定常動作信号が出力される場合には、一定電圧を上記リモコン受信部５とマイコン４に出力し、定常動作信号が出力されない場合には、間欠的に電圧を上記リモコン受信部５とマイコン４に出力することを特徴とするものである。
【発明の効果】
【０００８】
本発明によれば、リモコン受信部と機器の制御を１つのマイコンで行うリモコン制御機器において、制御電源を間欠動作とすることで待機状態の制御回路の消費電力を低減することができる。また、間欠動作する制御電源の出力期間にリモコンからの信号を受信した場合には、制御電源に一定電圧を出力させることで、定常時の機器動作も可能となる。
【発明を実施するための最良の形態】
【０００９】
（実施形態１）
図１は本発明の基本的な構成を示すブロック図である。１は制御電源、２は制御回路、３はメイン回路である。制御回路２はマイコン４とリモコン受信部５を含む。メイン回路３は制御回路２により制御される。制御電源１はマイコン４とリモコン受信部５、及びメイン回路３に制御電源電圧を出力している。
【００１０】
図２は制御電源１の出力電圧Ｖ１とマイコン４から出力される信号ＶＦＢを示す。図２（ａ）は待機動作において、リモコン信号を受信していない場合の制御電源１の出力電圧Ｖ１とマイコン４から制御電源１への信号ＶＦＢ（以下、定常動作信号という）の波形である。このとき、制御電源１の出力電圧Ｖ１は間欠電圧となる。マイコン４から制御電源１への定常動作信号ＶＦＢは出力されない。
【００１１】
図２（ｂ）は待機動作において、リモコン信号を受信した場合の制御電源１の出力電圧Ｖ１、マイコン４から制御電源１への定常動作信号ＶＦＢの波形である。制御電源１の出力電圧Ｖ１が出力されている間にリモコン信号を検知すると、マイコン４から制御電源１に定常動作信号ＶＦＢが出力され、これを受けると制御電源１は間欠動作から定常出力動作に変わる。
【００１２】
以上の構成及び動作により、リモコン信号による待機動作中は制御電源１が間欠的に動作するので、制御回路１における電力消費も間欠的になり、制御回路１の消費電力を低減できることが理解できる。
【００１３】
＜マイコンの動作の説明＞
上記動作を実現するためのマイコン４の動作についてさらに詳しく説明する。図３はリモコン信号が受信されない場合の待機状態の制御電源１の出力電圧波形とマイコンの動作を示している。
【００１４】
図３（ａ）のように、待機状態の制御電源１の出力電圧Ｖ１は周期Ｔ、オン幅Ｔ０の間欠波形となる。制御電源１からの出力電圧Ｖ１が供給されているＴ０の期間のマイコン４の動作を図３（ｂ）に示す。
【００１５】
電源電圧の立上りの初期にマイコン４の初期化動作を行い、次に記憶装置（内蔵のＥＥＰＲＯＭ等）から情報の読み出し、リモコン信号の待機動作を行い、Ｔ０の期間が経過した後には制御電源１が供給されなくなり、マイコン４は動作を停止する。ここで初期化動作はマイコン４が動作を開始する場合の一般的な動作を言い、内容を限定するものではない。図３（ｂ）では、初期化動作の次に記憶装置から情報の読出しを行うように記載しているが、記憶装置からの情報の読出しを初期化動作に含めてしまっても良い。マイコン４は待機状態の続く間は一定周期ごとに上記の動作を繰り返す。
【００１６】
図４はリモコン信号が受信される場合の制御電源１の出力電圧波形とマイコンの動作を示している。
【００１７】
図４（ａ）に示すように、リモコン信号が受信される場合、制御電源１は一定電圧を出力する。制御電源１からの出力電圧Ｖ１が供給された直後のマイコン４の動作は、図３（ｂ）に示した動作と同様である。
【００１８】
図４（ｂ）では、リモコン信号の待機動作中にリモコン信号により電源オン信号を受信した場合に、マイコン４から制御電源１に定常動作信号ＶＦＢを出力する。マイコン４から定常動作信号ＶＦＢを入力されている間は、制御電源１は間欠動作を停止し、定常電圧を出力し続ける。リモコン信号の待機動作の期間後は、マイコン４は記憶装置から読み出した情報に従いメイン回路３を制御する。
【００１９】
上述のように、待機動作中においては制御電源１が間欠動作することにより、制御回路１の消費電力を低減し、間欠的に制御電圧が供給されている期間にリモコン信号の待機動作を行うことにより、リモコン信号による復帰動作も可能となる。
【００２０】
（実施形態２）
図５は本発明の実施形態２の回路図である。本実施形態は、照明用のインバータ式点灯装置への適用例である。図中、太線は電力の供給線、矢印付の細線は信号の供給線である。商用電源Ｖｓから制御電源１、インバータ８に電源電圧を供給する。制御電源１は、商用電源Ｖｓからの交流電圧を受けて、適切な直流電圧へ変換して制御回路２へ供給する。
【００２１】
制御回路２はマイコン４、リモコン受信部５、検出部６、インバータ駆動回路７を有する。マイコン４による制御信号を受けて駆動回路７によりインバータ８のスイッチング素子をオン・オフ制御することで、インバータ８は高周波電圧を出力する。ランプＦＬはインバータ８から出力される高周波電圧を受けて点灯する。検出部６はインバータ８の負荷であるランプＦＬの寿命末期や無負荷状態を検出したときに、マイコン４に停止信号を送出する回路である。
【００２２】
マイコン４から制御電源１へ定常動作信号が入力される。インバータ８の動作中にリモコン受信部５がリモコン（図示せず）から動作停止のリモコン信号を受信すると、マイコン４は駆動回路７への制御信号を停止するとともに、制御電源１への定常動作信号も停止する。制御電源１は定常動作信号が入力されなくなると、間欠的に出力電圧Ｖ１を供給するようになる。このときの動作は図２（ａ）で示す通りである。以後、間欠的な電圧により制御回路２は動作するので、制御回路２での消費電力が低減される。
【００２３】
マイコン４は、図３（ｂ）に示すように出力電圧Ｖ１を供給されているＴ０の期間にリモコン信号の待機動作を行い、リモコン信号を監視する。リモコン信号が受信されない限り、マイコン４からは定常動作信号ＶＦＢは出力されず、制御電源１は間欠動作を継続する。
【００２４】
出力電圧Ｖ１を供給されているＴ０の期間にリモコン信号が受信されると、マイコン４は定常動作信号ＶＦＢを出力し、制御電源１は間欠動作を停止し、定常出力をするようになる。その後、マイコン４は記憶装置（内蔵のＥＥＰＲＯＭ等）から読み出した情報に従い、ランプＦＬを点灯させるように駆動回路７に制御信号を出力する。ここで、記憶装置から読み出される情報とは、例えば、ランプＦＬの累積点灯時間であっても良く、その場合、マイコン４はランプＦＬの累積点灯時間が経過するにつれてランプＦＬの光出力を増大させるように制御する。また、記憶装置から読み出される情報とは、例えば、前回消灯したときの調光レベルであっても良く、その場合、マイコン４は前回消灯したときの調光レベルでランプＦＬを点灯させるように制御する。
【００２５】
図６は、図５の具体回路図の一例である。商用電源Ｖｓを入力とする全波整流器ＤＢの出力端に昇圧チョッパ回路が接続されている。昇圧チョッパ回路は、インダクタＬ１、ダイオードＤ１、スイッチング素子Ｑ１、平滑コンデンサＣ１、チョッパ制御回路９からなる。平滑コンデンサＣ１にスイッチング素子Ｑ２、Ｑ３の直列回路が接続されている。スイッチング素子Ｑ２，Ｑ３は駆動回路７によって高周波で交互にオン・オフ制御される。スイッチング素子Ｑ３の両端には、直流カット用コンデンサＣ２と共振用インダクタＬ２を介して、蛍光ランプＦＬと共振用コンデンサＣ３の並列回路が接続されている。
【００２６】
制御電源１は全波整流器ＤＢの直流出力端に接続され、トランスＴ、スイッチング素子Ｑ４、ダイオードＤ４、コンデンサＣ４からなるコンバータにより構成されている。コンデンサＣ４に出力される電圧はスイッチング素子Ｑ５を介して、マイコン４、リモコン受信部５を含む制御回路２に供給される。
【００２７】
スイッチング素子Ｑ５は間欠信号によりオン・オフされる。スイッチング素子Ｑ５がオンされると、コンデンサＣ４が制御回路２に接続され、図２（ａ）のように、出力電圧Ｖ１が間欠的に供給される動作を実現する。
【００２８】
なお、スイッチング素子Ｑ５がオフの期間、つまり、スイッチング素子Ｑ５のゲート端子ｇの電位がローレベルであるときは、制御電源１のスイッチング素子Ｑ４の発振器ＯＳＣは停止させても良い。あるいは、間欠信号に関わらず発振器ＯＳＣは動作させても良い。図示された実施形態では、トランスＴの帰還巻線を用いてスイッチング素子Ｑ４を自励発振動作させる構成を例示しているが、他励駆動としても良い。
【００２９】
マイコン４からハイレベルの定常動作信号ＶＦＢが入力されると、間欠信号に関わらずスイッチング素子Ｑ５がオンされ、定常的にコンデンサＣ４が制御回路２に接続されるようになり、図２（ｂ）の動作を実現する。
【００３０】
間欠信号の発生源については特に図示しないが、例えば、平滑コンデンサＣ１の電圧を抵抗で降圧させた電圧またはコンデンサＣ４の電圧で無安定マルチのような間欠信号の発振回路を動作させるような構成とすれば良い。
【００３１】
間欠信号の一周期Ｔとオン幅Ｔ０の長さについて説明する。制御電源１の間欠動作の制御電圧供給時間であるオン幅Ｔ０およびその繰り返し周期Ｔに関しては特定していないが、例えば、リモコンで機器のオン信号を送信するのに要する時間よりもオン幅Ｔ０は長い時間とする。通常は数十ミリ秒から数百ミリ秒である。こうすることで確実にリモコン信号を受信し、機器を動作開始することができる。
【００３２】
リモコン受信部５で何らかの信号を受信したが、受信タイミングの関係でリモコン信号のデコードに十分でなかった場合には、マイコン４から一定時間だけ定常動作信号を出力し、さらにリモコン信号待機状態を延長してもよい。この場合には、マイコン４の制御は通常の動作に移行せず、リモコン待機状態を継続するものとする。
【００３３】
このようにすることで、リモコン操作者はリモコンで信号を送って機器が動作しない場合に、すぐに送信をやり直すことが通常行われるので、次のリモコン信号によって復帰動作を行うことが可能である。このリモコン信号待機状態を延長する時間は通常数秒もあれば十分である。
【図面の簡単な説明】
【００３４】
【図１】本発明の実施形態１の構成を示すブロック図である。
【図２】本発明の実施形態１の動作を示す動作説明図である。
【図３】本発明の実施形態１の間欠動作時の動作説明図である。
【図４】本発明の実施形態１の定常動作時の動作説明図である。
【図５】本発明の実施形態２の概略構成を示すブロック図である。
【図６】本発明の実施形態２の具体的な構成を示す回路図である。
【符号の説明】
【００３５】
１  制御電源
２  制御回路
３  メイン回路
４  マイコン
５  リモコン受信部
【図１】
2010141750.tif 000003
【図２】
2010141750.tif 000004
【図３】
2010141750.tif 000005
【図４】
2010141750.tif 000006
【図５】
2010141750.tif 000007
【図６】
2010141750.tif 000008